(57)【特許請求の範囲】
【請求項１】
２つのフィラメントを備えた直管形の放電灯と、発振トランスを介して前記放電灯に高周波電力を供給するインバータ回路部を含んでなる放電灯点灯装置と、前記放電灯を装着するソケットとを備え、前記放電灯点灯装置とソケットとを交流電源に接続された２本のダクト配線を有する配線ダクト上に配設すると共に、前記放電灯点灯装置とソケットとを前記２本のダクト配線を介して電気的に接続してなる照明器具であって、前記発振トランスの二次巻線の一端側にタップを設けて第１の予熱巻線とし、該第１の予熱巻線を前記放電灯の一方のフィラメントに接続すると共に、前記発振トランスの二次巻線の他端側を前記配線ダクトの一方のダクト配線に接続し、前記配線ダクトの２本のダクト配線間に予熱トランスを接続すると共に、予熱トランスの二次側を第２の予熱巻線として前記放電灯の他方のフィラメントに接続し、前記第２の予熱巻線の一端と前記配線ダクトの一方のダクト配線とを短絡させ、前記一方のダクト配線のみを、前記放電灯に流れる電流線と兼用させたことを特徴とする照明器具。
【請求項２】
前記第２の予熱巻線の一端と前記配線ダクトの一方のダクト配線とをインピーダンス素子を介して短絡させたことを特徴とする請求項１記載の照明器具。
【請求項３】
前記インピーダンス素子を誘導性素子としたことを特徴とする請求項２記載の照明器具。
【請求項４】
前記インピーダンス素子を容量性素子としたことを特徴とする請求項２記載の照明器具。
【発明の詳細な説明】
【０００１】
【産業上の利用分野】
本発明は、配線ダクトを利用してなる照明器具に関するものである。
【０００２】
【従来の技術】
一般に、照明器具は、複数の器具を設置する場合には、そのうちの１つの器具に交流電源から電源線を接続し、隣接する照明器具の電源用端子間を順次接続することにより電源をとる、いわゆる送り配線による設置方式がとられることが多く、特に、ショーケースや壁面棚等においては、配線ダクトを用いた照明器具が使用される場合があり、その電源の送り配線に配線ダクトが用いられることも多い。
【０００３】
図９乃至図１５は、従来の照明器具を示すもので、この照明器具は、２つのフィラメントｆ１、ｆ２を備えた直管形の放電灯であるスリムランプ１と、放電灯点灯装置２を収納すると共にスリムランプ１の一端が装着される第１のソケット３ａを備えた第１の器具本体３と、スリムランプ１の他端が装着される第２のソケット４ａを備えた第２の器具本体４と、第１の器具本体３と第２の器具本体４とが装着される配線ダクト５とを有して構成されている。
【０００４】
放電灯点灯装置２は、２石式のプッシュプルインバータ回路からなるインバータ回路部２ａを含んでなり、交流電源ＡＣから供給される交流を整流器ＤＢにより整流し、その直流電圧を２つのスイッチング素子Ｑ１及びＱ２を交互にオン、オフさせて高周波に変換して発振トランスＯＴを介してスリムランプ１に印加することにより、スリムランプ１を点灯させるもので、発振トランスＯＴの二次巻線Ｎ２の一端側にはスリムランプ１の一方のフィラメントｆ１を予熱するための第１の予熱巻線Ｎ３が設けられ、また、他端側にもスリムランプ１の他方のフィラメントｆ２を予熱するための第２の予熱巻線Ｎ４が設けられている。
【０００５】
第１の器具本体３は、略箱形の外形をしてなり、上述のように内部に放電灯点灯装置２を収納すると共に、その１つの側壁には第１のソケット３ａが設けられ、その側壁に隣接する一面には、放電灯点灯装置２に電気的に接続されてなる４枚の導電性部材製の板状体からなるプラグ３ｂが設けられ、そのうちの内側の２枚は、それぞれ放電灯点灯装置２の電源端子に、外側の２枚は、発振トランスＯＴの第２の予熱巻線Ｎ４に接続されている。
【０００６】
第２の器具本体４は、同様に略箱形の外形をしてなり、その１つの側壁には第２のソケット４ａが設けられ、その側壁に隣接する一面には、第２のソケット４ａに電気的に接続されてなる２枚の導電性部材製の板状体からなるプラグ４ｂが設けられている。
【０００７】
配線ダクト５は、略帯状の外形を有し、その一面側に５つの長尺の溝５ａを有してなり、中央部の溝５ａを除く他の溝５ａには、それぞれ長尺で前記プラグ３ｂ、４ｂを挟持して電気的接続をとるダクト配線５ｂが固着されており、その４本のダクト配線５ｂのうち内側の２本が交流電源ＡＣに接続されて、照明器具の電源線及び他の照明器具への送り配線とされ、外側の２本が、放電灯点灯装置２の第２の予熱巻線Ｎ４と第２の器具本体４の第２のソケット４ａとを接続するために使用されている。
【０００８】
したがって照明器具は、配線ダクト５を、その溝５ａを上側に向け第１の器具本体３の４本のプラグ３ｂを、それぞれ配線ダクト５の溝５ａ内の４本のダクト配線５ｂと対向させて挿入し、次に第２の器具本体４を、その２本のプラグ４ｂを配線ダクト５の溝５ａ内の外側のダクト配線５ｂに対向させると共に、第２のソケット４ａを第１のソケット３ａと対向させ、さらに第１の器具本体３の第１のソケット３ａと第２の器具本体４の第２のソケット４ａの間隔が、それらの間でスリムランプ１が保持できるように、略スリムランプ１の長さに等しくなるようにして、第２の器具本体４のプラグ４ｂを配線ダクト５の溝に５ａ内のダクト配線５ｂに挿入して組立てられていた。
【０００９】
また、このような照明器具を連結して用いる場合には、図１５に示すように、各配線ダクト５間の電源線用のダクト配線５ｂ間を連結器６により接続し、その電気的な接続を確保していた。
【００１０】
【発明が解決しようとする課題】
しかしながら、上述のように構成された従来の照明器具においては、第１の器具本体３と第２の器具本体４の間に、電源の送り配線用の２本を含めて少なくとも４本の電線が必要となり、このため、それらの間を接続する配線ダクト５内にも４本のダクト配線５ｂを設ける必要が生じ、それらのダクト配線５ｂ間の絶縁等も考慮すると配線ダクト５の幅が広くなって配線ダクト５の幅がスリムランプ１の径である約２０ｍｍよりも大きくなり、照明器具の断面が大きくなって見栄えが悪いばかりか、断面が大きく４本のダクト配線５ｂを必要とするために、そのコストも高くなり、さらには、複数の照明器具を連結して用いる場合には、１本の配線ダクト５を共用して、その上に複数の照明器具を取り付けることはできず、したがって、複数の照明器具の連結には連結器６が必要となり、その作業性が悪いという問題点があった。
【００１１】
本発明は、上記の問題点を改善するためになされたもので、その目的とするところは、器具断面を細くして見栄えを良くし、コストを低減すると共に、連結施工時の送り配線が容易な照明器具を提供することにある。
【００１２】
【課題を解決するための手段】
本発明は上記の問題点を解決するため、請求項１記載の発明にあっては、２つのフィラメントｆ１、ｆ２を備えた直管形の放電灯１と、発振トランスＯＴを介して前記放電灯１に高周波電力を供給するインバータ回路部２ａを含んでなる放電灯点灯装置２と、前記放電灯１を装着するソケット３ａ、４ａとを備え、前記放電灯点灯装置２とソケット３ａ、４ａとを交流電源ＡＣに接続された２本のダクト配線５ｃ、５ｄを有する配線ダクト５上に配設すると共に、前記放電灯点灯装置２とソケット３ａ、４ａとを前記２本のダクト配線５ｃ、５ｄを介して電気的に接続してなる照明器具であって、前記発振トランスＯＴの二次巻線Ｎ２の一端側にタップを設けて第１の予熱巻線Ｎ３とし、該第１の予熱巻線Ｎ３を前記放電灯１の一方のフィラメントｆ１に接続すると共に、前記発振トランスＯＴの二次巻線Ｎ２の他端側を前記配線ダクト５の一方のダクト配線５ｃに接続し、前記配線ダクトの２本のダクト配線５ｃ、５ｄ間に予熱トランスＰＴを接続すると共に、該予熱トランスＰＴの二次側を第２の予熱巻線Ｎ４として前記放電灯１の他方のフィラメントｆ２に接続し、前記第２の予熱巻線Ｎ４の一端と前記配線ダクト５の一方のダクト配線５ｃとを短絡させ、前記一方のダクト配線のみを、前記放電灯に流れる電流線と兼用させたことを特徴とするものである。
【００１３】
また、請求項２記載の発明にあっては、前記第２の予熱巻線Ｎ４の一端と前記配線ダクト５の一方のダクト配線５ｃとをインピーダンス素子７を介して接続したことを特徴とするものである。
【００１４】
さらには、請求項３記載の発明にあっては、前記インピーダンス素子７を誘導性素子Ｌとしたことを特徴とするものである。
【００１５】
また、請求項４記載の発明にあっては、前記インピーダンス素子７を容量性素子Ｃとしたことを特徴とするものである。
【００１６】
【作用】
以上のように請求項１記載の発明にあっては、第１の器具本体３と第２の器具本体４の間の配線に送り配線用の電源線を利用することができるため、配線ダクト５内の電線であるダクト配線５ｃ、５ｄが２本ですむことになり、配線ダクト５の断面が細くでき、照明器具の細断面化がはかれて見栄えが良くなると共に、配線ダクト５内のダクト配線５ｃ、５ｄが２本ですむため、照明器具のコストが大幅に低減され、さらには、複数の照明器具が１本の配線ダクト５上に連結器等を用いることなく取り付けできて、その施工が容易となる。
【００１７】
また、請求項２乃至請求項４記載の発明にあっては、第１の器具本体３と第２の器具本体４の長さや重量バランスが改善されて照明器具の見栄えがさらに良くなる。
【００１８】
【実施例】
図１乃至図６は、本発明に係る照明器具の第１の実施例を示すもので、その照明器具は、主として放電灯であるスリムランプ１と、放電灯点灯装置２を収納すると共にスリムランプ１の一端が装着される第１のソケット３ａを備えた第１の器具本体３と、スリムランプ１の他端が装着される第２のソケット４ａを備えた第２の器具本体４と、交流電源ＡＣに接続された２本のダクト配線５ｃ、５ｄを備え、第１の器具本体３と第２の器具本体４とが装着される配線ダクト５を有して構成されている。
【００１９】
放電灯点灯装置２は、インバータ回路部２ａを含んでなり、交流電源ＡＣから供給される交流を整流器ＤＢにより整流し、その直流電圧を２つのスイッチング素子Ｑ１及びＱ２を交互にオン、オフさせて高周波に変換してリーケージタイプの発振トランスＯＴを介してスリムランプ１に印加することにより、スリムランプ１を点灯させるもので、発振トランスＯＴの二次巻線Ｎ２の一端側にはスリムランプ１の一方のフィラメントｆ１を予熱するための第１の予熱巻線Ｎ３が設けられて第１のソケット３ａに接続されると共に、二次巻線Ｎ２の他端側は配線ダクト５の一方のダクト配線５ｃに接続されている。
【００２０】
第１の器具本体３は、略箱形の外形をしてなり、上述のように内部に放電灯点灯装置２を収納すると共に、その１つの側壁には第１のソケット３ａが設けられ、その側壁に隣接する一面には、放電灯点灯装置２に電気的に接続されてなる２枚の導電性部材製の板状体からなるプラグ３ｃ、３ｄが設けられ、一方のプラグ５ｃには、放電灯点灯装置２の一方の電源端子と発振トランスＯＴの二次巻線Ｎ２の他端が接続され、他方のプラグ３ｄには、放電灯点灯装置２の他方の電源端子が接続されている。
【００２１】
また、第２の器具本体４は、同様に略箱形の外形をしてなり、第２の予熱巻線Ｎ４をその二次巻線として有してなる予熱トランスＰＴを収納し、その１つの側壁には第２のソケット４ａが設けられ、その側壁に隣接する一面には、第２のソケット４ａに電気的に接続されてなる２枚の導電性材製の板状体からなるプラグ４ｃ、４ｄが設けられており、それらのプラグ４ｃ及び４ｄの間に予熱トランスＰＴの一次巻線が接続され、また、一方のプラグ４ｃには予熱トランスＰＴの二次巻線である第２の予熱巻線Ｎ４の一端が接続されている。
【００２２】
配線ダクト５は、略帯状の外形で、その一面側に３つの長尺の溝５ａを備えてなり、両側の溝５ａには、それぞれ長尺で前記プラグ３ｃ、３ｄ、４ｃ、４ｄを挟持するダクト配線５ｃ、５ｄが固着されており、そのダクト配線５ｃ、５ｄの２本が交流電源ＡＣに接続されて、照明器具の電源線とされ、さらには一方のダクト配線５ｃが、スリムランプ１に流れるランプ電流を流す線とされている。
【００２３】
したがって照明器具は、従来例と同様に配線ダクト５をその溝５ａを上側に向けて配設し、第１の器具本体３のプラグ３ｃ、３ｄを配線ダクト５のダクト配線５ｃ、５ｄに対向させて挿入し、次に、第２の器具本体４を、そのプラグ４ｃ、４ｄを配線ダクト５のダクト配線５ｃ、５ｄに対向させると共に、第２のソケット４ａを第１のソケット３ａと対向させ、さらに第１の器具本体３の第１のソケット３ａと第２の器具本体４の第２のソケット４ａの間隔が、それらの間でスリムランプ１が保持できるように、略スリムランプ１の長さに等しくなるようにして、第２の器具本体４のプラグ４ｃ、４ｄを配線ダクト５の溝５ａ内のダクト配線５ｃ、５ｄに挿入して組み立てられる。
【００２４】
このように構成されているため、本実施例における照明器具においては、第１の器具本体３と第２の器具本体４の間のランプ電流を流すための配線に送り配線用の電源線を利用することができ、配線ダクト５内の電線であるダクト配線５ｃ、５ｄが２本ですむことになり、配線ダクト５の断面が細くできて照明器具の細断面化がはかれて見栄えが良くなると共に、照明器具のコストが大幅に低減され、さらには、複数の照明器具が１本の配線ダクト５上に連結器を用いることなく取り付けできて、その施工が容易となる。
【００２５】
図７は、本発明の第２の実施例の回路図を示すものであり、前記第１の実施例と異なる点は、発振トランスＯＴをノンリーケージタイプとした点と第２の器具本体４であり、他は前記第１の実施例と同様に構成されている。
【００２６】
第２の器具本体４は、前記第１の実施例と同様に略箱形の外形をし、第２の予熱巻線Ｎ４を有してなる予熱トランスＰＴを収納してなり、その１つの側壁には第２のソケット４ａが設けられ、その第２のソケット４ａには予熱トランスＰＴの二次巻線である第２の予熱巻線Ｎ４が接続されている。また、第２のソケット４ａが設けられた側壁に隣接する一面には、２枚の導電性部材製の板状体からなるプラグ４ｃ、４ｄが突設されており、それらのプラグ４ｃ及び４ｄに予熱トランスＰＴの一次巻線が接続され、また、一方のプラグ４ｃには予熱トランスＰＴの二次巻線である第２の予熱巻線Ｎ４の一端がインピーダンス素子７としての誘導性素子Ｌを介して接続し、その誘導性素子であるチョークコイルＬを限流要素として構成されている。
【００２７】
このように構成されているため、本実施例における照明器具においては、実施例１の効果に加えて、第１の器具本体３と第２の器具本体４の間の長さや重量バランスが改善されて照明器具の見栄えがさらに良くなると共に、発熱量の大きいチョークコイルＬを第２の器具本体４側に設けることにより第１の器具本体３を小型にすることができる。
【００２８】
図８は、本発明の第３の実施例の回路図を示すものであり、前記第２の実施例と異なる点はインピーダンス素子７として誘導性素子であるチョークコイルＬに換えて容量性素子であるコンデンサＣを使用し、そのコンデンサＣを限流要素とした点であり、他は前記第１の実施例と同様に構成されている。
【００２９】
このように構成しても、前記第２の実施例と同様の効果を奏すると共に、熱に弱い大型のコンデンサＣを放電灯点灯装置２の他の要素から離して第２の器具本体４内に設けることができ、照明器具の熱に対する信頼性が向上する。
【００３０】
【発明の効果】
上述のように本発明の照明器具は、請求項１記載の発明にあっては、２つのフィラメントを備えた直管形の放電灯と、発振トランスを介して前記放電灯に高周波電力を供給するインバータ回路部を含んでなる放電灯点灯装置と、前記放電灯を装着するソケットとを備え、前記放電灯点灯装置とソケットとを交流電源に接続された２本のダクト配線を有する配線ダクト上に配設すると共に、前記放電灯点灯装置とソケットとを前記２本のダクト配線を介して電気的に接続してなる照明器具であって、前記発振トランスの二次巻線の一端側にタップを設けて第１の予熱巻線とし、該第１の予熱巻線を前記放電灯の一方のフィラメントに接続すると共に、前記発振トランスの二次巻線の他端側を前記配線ダクトの一方のダクト配線に接続し、前記配線ダクトの２本のダクト配線間に予熱トランスを接続すると共に、予熱トランスの二次側を第２の予熱巻線として前記放電灯の他方のフィラメントに接続し、前記第２の予熱巻線の一端と前記配線ダクトの一方のダクト配線とを短絡させ、前記一方のダクト配線のみを、前記放電灯に流れる電流線と兼用させたため、第１の器具本体と第２の器具本体の間の配線にダクト配線である送り配線用の電源線を利用することができ、配線ダクト内の電線であるダクト配線が２本ですむことになり、配線ダクトの断面が細くできて照明器具の細断面化がはかれて見栄えが良くなると共に、照明器具のコストが大幅に低減され、さらには、複数の照明器具が１本の配線ダクト上に連結器を用いることなく取り付けできて、その施工が容易となる。
【００３１】
また、請求項２乃至請求項４記載の発明にあっては、前記第２の予熱巻線の一端と前記配線ダクトの一方のダクト配線とをインピーダンス素子を介して短絡させたため、請求項１記載の発明の効果に加えて、第１の器具本体と第２の器具本体の長さや重量バランスが改善されて照明器具の見栄えがさらに良くなる。
【図面の簡単な説明】
【図１】本発明の第１の実施例を示す回路図である。
【図２】同上の分解斜視図である。
【図３】同上の第１の器具本体と配線ダクトを対向させた状態の一部断面側面図である。
【図４】同上の第１の器具本体を配線ダクトに装着した状態の一部断面側面図である。
【図５】同上の第２の器具本体を配線ダクトに装着した状態の一部断面側面図である。
【図６】同上の照明器具を連結する場合の分解斜視図である。
【図７】本発明の第２の実施例を示す回路図である。
【図８】本発明の第３の実施例を示す回路図である。
【図９】従来の照明器具の回路図である。
【図１０】同上の概略構成図である。
【図１１】同上の分解斜視図である。
【図１２】同上の第１の器具本体と配線ダクトを対向させて配設した状態の一部断面側面図である。
【図１３】同上の第１の器具本体を配線ダクトに装着した状態の一部断面側面図である。
【図１４】同上の第２の器具本体と配線ダクトを対向させて配設した状態の一部断面側面図である。
【図１５】同上の照明器具を連結する場合の概略構成図である。
【符号の説明】
１            放電灯
２            放電灯点灯装置
３            第１の器具本体
３ａ        ソケット
４            第２の器具本体
４ａ        ソケット
５            配線ダクト
５ｃ        一方のダクト配線
５ｄ        他方のダクト配線
７            インピーダンス素子
ＡＣ        交流電源
Ｃ            容量性素子
Ｌ            誘導性素子
Ｎ２        二次巻線
Ｎ３        第１の予熱巻線
Ｎ４        第２の予熱巻線
ＯＴ        発振トランス
ＰＴ        予熱トランス
【図１】
0003601070.tif 000002
【図２】
0003601070.tif 000003
【図３】
0003601070.tif 000004
【図４】
0003601070.tif 000005
【図５】
0003601070.tif 000006
【図６】
0003601070.tif 000007
【図７】
0003601070.tif 000008
【図８】
0003601070.tif 000009
【図９】
0003601070.tif 000010
【図１０】
0003601070.tif 000011
【図１１】
0003601070.tif 000012
【図１２】
0003601070.tif 000013
【図１３】
0003601070.tif 000014
【図１４】
0003601070.tif 000015
【図１５】
0003601070.tif 000016